(57)【要約】      （修正有）【課題】プロテクタ内にワイヤハーネスを簡単確実に組み付ける。【解決手段】ワイヤハーネス２を収容するプロテクタと、ワイヤハーネス２をプロテクタの内側に固定させるハーネス固定部材１１とを備え、ハーネス固定部材１１が係止手段でプロテクタに固定され、ワイヤハーネス２がハーネス固定部材１１の案内板に沿ってプロテクタとの間に配索されるハーネス収容装置（ハーネス余長吸収装置）を採用する。ハーネス固定部材１１が案内板の手前に略三角形状の板部を有し、ワイヤハーネス２を板部に沿って交差方向に折り返した。ハーネス固定部材１１が案内板に続くコネクタ保持部１８を有し、コネクタ保持部１８がワイヤハーネス２のコネクタ１０に対する保持手段５８を有する。保持手段やプロテクタがコネクタ１０を相手コネクタ嵌合方向に支える受け部を有する。ハーネス固定部材１１がワイヤハーネス２の保護チューブ２１を一体に固定した枠状部５２を有する。【選択図】図２
2005176503.tif 000002
【特許請求の範囲】
【請求項１】
ワイヤハーネスを収容するプロテクタと、該ワイヤハーネスを該プロテクタの内側に固定させるハーネス固定部材とを備え、該ハーネス固定部材が係止手段で該プロテクタに固定され、該ワイヤハーネスが該ハーネス固定部材の案内板に沿って該案内板と該プロテクタとの間に配索されることを特徴とするハーネス収容装置。
【請求項２】
前記ハーネス固定部材が、前記案内板の手前に略三角形状の板部を有し、前記ワイヤハーネスが該板部に沿って交差方向に折り返されて該案内板の裏側に配索されることを特徴とする請求項１記載のハーネス収容装置。
【請求項３】
前記ハーネス固定部材が、前記案内板に続くコネクタ保持部を有し、該コネクタ保持部が前記ワイヤハーネスのコネクタに対する保持手段を有することを特徴とする請求項１又は２記載のハーネス収容装置。
【請求項４】
前記保持手段が、前記コネクタを相手コネクタ嵌合方向に支える受け部を有することを特徴とする請求項３記載のハーネス収容装置。
【請求項５】
前記プロテクタが、前記コネクタを相手コネクタ嵌合方向に支える受け部を有することを特徴とする請求項３又は４記載のハーネス収容装置。
【請求項６】
前記ハーネス固定部材が、ワイヤハーネス外周の保護チューブを一体に固定させた枠状部を有し、該枠状部内を通って該ワイヤハーネスが配索されることを特徴とする請求項１〜５の何れか１項に記載のハーネス収容装置。
【請求項７】
前記プロテクタ内で前記ワイヤハーネスがハーネスガイド部材に沿って折り返されてハーネス導出口から外部に導出され、該ハーネスガイド部材が付勢部材でハーネス引き込み方向に付勢されたことを特徴とする請求項１〜６の何れか１項に記載のハーネス収容装置。
【請求項８】
請求項１〜７の何れか１項に記載のハーネス収容装置の構成を含むことを特徴とするハーネス余長吸収装置。
【発明の詳細な説明】
【技術分野】
【０００１】
本発明は、ワイヤハーネスをプロテクタ内に屈曲して収容させる構造のハーネス収容装置及びハーネス余長吸収装置に関するものである。
【背景技術】
【０００２】
図１０は、従来のハーネス収容装置（ハーネス余長吸収装置）の一形態を示すものである（特許文献１参照）。
【０００３】
このハーネス収容装置（ハーネス余長吸収装置）４１は、フラットワイヤハーネス４６を略Ｓ字状に屈曲させて収容する合成樹脂製のプロテクタ（ケース）４２と、プロテクタ４２内の一方に設けられた円柱状の固定ガイド４３と、プロテクタ内の他方にスライド自在に設けられた円柱状の可動ガイド４４と、可動ガイド４４をワイヤハーネス４６と共に固定ガイド４３とは反対の方向に付勢するコイルばね４５と、ワイヤハーネス４６の一端に設けられ、プロテクタ４２の壁部に固定されたコネクタ４７とを備えたものである。
【０００４】
プロテクタ４２内でフラットワイヤハーネス４６が可動ガイド４４と固定ガイド４３とに沿って略Ｓ字状に屈曲され、ワイヤハーネス４６の一方がプロテクタ４２の一方の壁部のコネクタ４７に続き、ワイヤハーネス４６の他方がプロテクタ４２の他方の壁部のハーネス導出口４８から外部に導出されている。
【０００５】
コネクタ４７には電源側のワイヤハーネス４９が相手コネクタ５０を介して接続され、ワイヤハーネス４６の他方は例えばドア等の開閉体（図示せず）の電装品や補機にコネクタ接続される。開閉体の開き操作に伴ってワイヤハーネス４６がコイルばね４５を圧縮させつつプロテクタ４２から引き出され、開閉体の閉じ操作時にワイヤハーネス４６が弛もうとするが、コイルばね４５が伸び方向に可動ガイド４４を付勢移動させることで、ワイヤハーネス４６がプロテクタ４２内に引き込まれて弛み（余長）が吸収される。
【特許文献１】特開平９−２０１８９号公報（第４〜５頁，図９）
【発明の開示】
【発明が解決しようとする課題】
【０００６】
しかしながら、上記従来のハーネス収容装置４１にあっては、ワイヤハーネス４６のコネクタ４７がプロテクタ４２とは別体であるため、コネクタ４７をプロテクタ４２に固定する作業が面倒であり、且つ相手側コネクタ５０の嵌合時の押圧力に耐えるようにコネクタ４７を強固に固定することがなかなか困難であるという問題があった。
【０００７】
また、開閉体を急激に開閉してワイヤハーネスが強く引き出された際に、ワイヤハーネスやコネクタに強い引張力が作用し、ワイヤハーネスが伸びたり、コネクタ内の端子に悪影響を及ぼしやすいという懸念があった。
【０００８】
また、コイルばね４５の位置やコネクタ４７を設ける位置によっては、コネクタ４７に続くハーネス部分４６ａがコイルばね（付勢部材）４５の伸縮で擦られて摩耗等を起こしやすいという懸念があった。
【０００９】
本発明は、上記した点に鑑み、プロテクタ内にワイヤハーネスを容易に、また確実に固定することができ、また、プロテクタにワイヤハーネスのコネクタを容易に、また強固に固定することができ、しかもワイヤハーネスをプロテクタ内の他の部品等との干渉から確実に保護することのできるハーネス収容装置及びハーネス余長吸収装置を提供することを目的とする。
【課題を解決するための手段】
【００１０】
上記目的を達成するために、本発明の請求項１に係るハーネス収容装置は、ワイヤハーネスを収容するプロテクタと、該ワイヤハーネスを該プロテクタの内側に固定させるハーネス固定部材とを備え、該ハーネス固定部材が係止手段で該プロテクタに固定され、該ワイヤハーネスが該ハーネス固定部材の案内板に沿って該案内部と該プロテクタとの間に配索されることを特徴とする。
【００１１】
上記構成により、ワイヤハーネスがハーネス固定部材とプロテクタの内壁面との間で挟まれるようにして固定され、且つハーネス固定部材とプロテクタの内壁面との間でプロテクタ内の他の構成部品から干渉等なく保護される。プロテクタへのハーネス固定部材の固定は係止手段でワンタッチで行われる。
【００１２】
請求項２に係るハーネス収容装置は、請求項１記載のハーネス収容装置において、前記ハーネス固定部材が、前記案内板の手前に略三角形状の板部を有し、前記ワイヤハーネスが該板部に沿って交差方向に折り返されて該案内板の裏側に配索されることを特徴とする。
【００１３】
上記構成により、ワイヤハーネスが長手方向ではなく長手交差方向（例えば９０゜方向）に方向転換され、ワイヤハーネスの接続部が所望の方向（例えばプロテクタからのワイヤハーネスの引き出しに邪魔にならない方向等）に配置される。ワイヤハーネスは略三角形状の板部の傾斜部分に沿って折り返され、案内板の裏側で挟まれるように固定されると共に、プロテクタ内の他の構成部品との干渉等なく保護される。ワイヤハーネスが折り返されることでストレインリリーフの作用が発揮され、たとえワイヤハーネスに強い引張力が作用した場合でも、引張力が折り返し部分で受け止められて、ワイヤハーネスの接続部側に伝わることが防止される。
【００１４】
請求項３に係るハーネス収容装置は、請求項１又は２記載のハーネス収容装置において、前記ハーネス固定部材が、前記案内板に続くコネクタ保持部を有し、該コネクタ保持部が前記ワイヤハーネスのコネクタに対する保持手段を有することを特徴とする。
【００１５】
上記構成により、ワイヤハーネスのコネクタが保持手段でハーネス固定部材のコネクタ保持部にワンタッチで確実に固定される。プロテクタに対してコネクタがぐらついたりせず（首振りを行わず）正確に位置決めされるから、コネクタに相手側ワイヤハーネスのコネクタが確実に嵌合接続される。
【００１６】
請求項４に係るハーネス収容装置は、請求項３記載のハーネス収容装置において、前記保持手段が、前記コネクタを相手コネクタ嵌合方向に支える受け部を有することを特徴とする。
【００１７】
上記構成により、コネクタに相手側ワイヤハーネスのコネクタを嵌合する際に、相手側コネクタの押圧力が受け部で受け止められて、コネクタがプロテクタ内に引っ込む（後退する）ことが阻止され、コネクタ嵌合が正確なストロークで確実に行われる。
【００１８】
請求項５に係るハーネス収容装置は、請求項３又は４記載のハーネス収容装置において、前記プロテクタが、前記コネクタを相手コネクタ嵌合方向に支える受け部を有することを特徴とする。
【００１９】
上記構成により、コネクタに相手側ワイヤハーネスのコネクタを嵌合する際に、相手側コネクタの押圧力が受け部で受け止められて、コネクタがプロテクタ内に引っ込む（後退する）ことが阻止され、コネクタ嵌合が正確なストロークで確実に行われる。請求項４記載の受け部との組み合わせで受け力が一層高められる。
【００２０】
請求項６に係るハーネス収容装置は、請求項１〜５の何れか１項に記載のハーネス収容装置において、前記ハーネス固定部材が、ワイヤハーネス外周の保護チューブを一体に固定させた枠状部を有し、該枠状部内を通って該ワイヤハーネスが配索されることを特徴とする。
【００２１】
上記構成により、ワイヤハーネスの保護チューブがハーネス固定部材の枠状部に強固に固定される。例えば保護チューブの端部がハーネス固定部材の樹脂成形時に成型金型内に一体にセットされ、その状態で枠状部の成形が行われて、保護チューブと枠状部とが強固に一体化する。ワイヤハーネスに強い引張力が作用した際に、保護チューブの外れが防止されることは勿論のこと、保護チューブとワイヤハーネスの通電部分とが引張力を二分して受けるから、通電部分に無理な引張力が作用することがなく、ワイヤハーネス接続部等への悪影響が防止される。
【００２２】
請求項７に係るハーネス収容装置は、請求項１〜６の何れか１項に記載のハーネス収容装置において、前記プロテクタ内で前記ワイヤハーネスがハーネスガイド部材に沿って折り返されてハーネス導出口から外部に導出され、該ハーネスガイド部材が付勢部材でハーネス引き込み方向に付勢されたことを特徴とする。
【００２３】
上記構成により、ドアやトランクといった開閉体にワイヤハーネスが接続され、例えば開閉体の開き時にワイヤハーネスがプロテクタから引き出され、それに伴ってハーネスガイド部材が付勢部材を付勢反対方向に圧縮しつつハーネス引き出し方向に移動する。開閉体の閉じ時に、付勢部材の付勢力でハーネスガイド部材が移動してプロテクタ内にワイヤハーネスを引き込んでワイヤハーネスの弛み（余長）を吸収する。プロテクタ内でワイヤハーネスはハーネス固定部材の裏側に配索されて付勢部材の伸縮による干渉摩耗から保護される。ハーネス固定部材の裏側で付勢部材の横断方向にワイヤハーネスを配索することができる。
【００２４】
請求項８に係るハーネス余長吸収装置は、請求項１〜７の何れか１項に記載のハーネス収容装置の構成を含むことを特徴とする。
【００２５】
上記構成により、開閉体の開き動作に伴って例えば付勢部材が付勢力に抗して圧縮されつつワイヤハーネスがプロテクタから引き出され、開閉体の閉じ動作に伴って例えば付勢部材がワイヤハーネスを引き込み方向に付勢してケース内に収容させ、それによりワイヤハーネスの余長が吸収される。
【発明の効果】
【００２６】
請求項１記載の発明によれば、プロテクタへのワイヤハーネスの固定を係止手段により簡単に行うことができ、また、ワイヤハーネスは挟まれるようにして固定されるから、例えばワイヤハーネスの引張力に対する抵抗力を発揮して、ワイヤハーネスの接続部等への悪影響を防止することができる。また、ワイヤハーネスがハーネス固定部材で覆われて保護されるから、プロテクタ内の他の構成部品との干渉が防止され、ワイヤハーネスの摩耗や傷付きが防止されて、給電の信頼性が向上する。
【００２７】
請求項２記載の発明によれば、ワイヤハーネスの接続方向を相手側ワイヤハーネスの位置やワイヤハーネスの引き出し方向等に応じて変更することができ、ワイヤハーネスの接続を無理なく確実に行うことができる。また、ワイヤハーネスの折り返し部によってワイヤハーネスの引張に対する抗力が増し、ワイヤハーネスの接続部への悪影響が阻止されて、電気的接続の信頼性が向上する。
【００２８】
請求項３記載の発明によれば、プロテクタへのコネクタの固定及び位置決めを容易に且つ確実に行うことができ、相手コネクタとの嵌合作業性を向上させることができる。
【００２９】
請求項４記載の発明によれば、相手側コネクタとの嵌合接続が正確なストロークで確実に行われて、電気的接続の信頼性が向上する。
【００３０】
請求項５記載の発明によれば、相手側コネクタとの嵌合接続が正確なストロークで確実に行われて、電気的接続の信頼性が向上する。特に請求項４記載の受け部との相乗効果で電気的接続の信頼性が一層高められる。
【００３１】
請求項６記載の発明によれば、ワイヤハーネスに強い引張力が作用した場合でも、保護チューブがハーネス固定部材から外れることがなく、ワイヤハーネス内部が外部との干渉や水滴や塵等から確実に保護され、給電の信頼性が向上する。また、ワイヤハーネスに強い引張力が作用した場合に、保護チューブが引張力を分担して受けるから、ワイヤハーネスの切断や接続部の外れ（端子外れ等）が確実に防止され、電気的接続の信頼性が向上する。
【００３２】
請求項７，８記載の発明によれば、ドアやトランクといった開閉体の開閉に伴うワイヤハーネスの引き出し及び引き込み時に、付勢部材とワイヤハーネスとの干渉による摩耗や傷付きがハーネス固定部材によって防止されて、常時給電の信頼性が向上する。
【発明を実施するための最良の形態】
【００３３】
図１は本発明に係るハーネス収容装置（ハーネス余長吸収装置）の一実施形態、図２は同じくハーネス収容装置の内部構造をそれぞれ示すものである。
【００３４】
このハーネス収容装置（ハーネス余長吸収装置）１は、フラットワイヤハーネス（ワイヤハーネス）２を略Ｕ字状に折り返した状態で収容するボックス本体３とカバー４とで成る合成樹脂製のプロテクタ５と、プロテクタ５内に収容される左右一対の金属製の圧縮コイルばね（付勢部材又は弾性部材）６と、各コイルばね６の内側に挿通され、両端をボックス本体３に固定された合成樹脂製のガイドピン７と、ガイドピン７に沿ってプロテクタ５内を移動自在で、コイルばね６でハーネス引き込み方向に付勢された合成樹脂製のハーネスガイド部材８と、プロテクタ内でハーネスガイド部材８とは反対側に配置され、フラットワイヤハーネス２の基端側を９０゜に折り曲げてボックス本体３の側方のコネクタ固定部９内に案内させ、且つフラットワイヤハーネス基端のコネクタ１０（図２）を保持した状態でコネクタ固定部９内に位置させる合成樹脂製のハーネス固定部材１１とを備えたものである。
【００３５】
ボックス本体３はカバー４よりも深く形成され、図２の如くボックス本体３内に各内部構成部品６〜８，１０，１１を収容した後、図１の如くカバー４が装着される。ボックス本体３とカバー４とは係止枠部１２と係合突起（図示せず）といった係止手段で相互に固定される。
【００３６】
図３にも示す如く、ボックス本体３の一側壁１３には前壁１４側においてコネクタ固定部９をなす縦断面略コの字状の壁部が一体に突出形成され、その底壁１５に、コネクタ１０（図２，図５）の後端に当接する受け壁（受け部）１６が突設されている。受け壁１６は後述のハーネス固定部材１１のコネクタ固定部１８内に突出して位置する。受け壁１６の後方において底壁１５は傾斜部１７を介してボックス本体３の底壁１９に続いている。傾斜部１７は複数のリブで構成され、図５の如くリブ１７の先端がハーネス固定部材１１の裏側のフラットワイヤハーネス２のフラットケーブル２０を支持する。コネクタ１０には車体側（電源側）の図示しないワイヤハーネスのコネクタが嵌合接続される。図３の受け壁１６の下側で底壁１５にはコネクタ１０（図５）のロックアーム２２をロック解除するための開口２３が設けられている。
【００３７】
なお、明細書中で上下前後左右及び底部等の方向性はあくまでも説明の便宜上のものであり、必ずしもプロテクタ５の実使用姿勢と一致するものではない。プロテクタ５の使用方向によっては例えばボックス本体３の前壁１４が後壁となり、底壁１９が天壁となる。
【００３８】
図３で、受け壁１６の両側においてコネクタ固定部９の両側の側壁２４には、ハーネス固定部材１１の係止突起（係止手段）２５（図６）に対する係合凹部（係止手段）２６が形成されている。ボックス本体３の幅方向中央にはハーネス収容部２７、その両側にコイルばね収容部２８がそれぞれ形成されており、ハーネス収容部２７の他側（コネクタ固定部９とは反対側）に、ハーネス固定部材１１（図４）の係止爪片（係止手段）２９に対する係合枠部（係止手段）３０が設けられている。
【００３９】
また、ボックス本体３の前壁１４の内面には、上側のハーネス導出口３１から垂直なリブ（係止手段）３２が延長形成され、リブ３２に対してハーネス固定部材１１（図５）に一対の位置決め突起３３（係止手段）とその間の係止溝が形成されている。各係止手段でハーネス固定部材１１がボックス本体３に係止（着脱自在に固定）される。
【００４０】
図３でボックス本体３の前後の壁部１４，３４には、コイルばね６の内側のガイドピン７（図２，図４）の両端の突起（係止手段）に対する係止孔（係止手段）３５が設けられ、コイルばね６とガイドピン７とハーネスガイド部材８（図２）とフラットワイヤハーネス２とを一体で（サブ組立体として）ボックス本体３に着脱自在となっている。
【００４１】
図２でガイドピン７の基端にはフランジ部３６、先端側には停止突起（図示せず）がそれぞれ一体に形成され、各フランジ部３６は図３の一方のリブ３２と段部３８、他方のリブ３２と他側壁３７との間にそれぞれ位置決め係合され、停止突起（図示せず）はハーネスガイド部材８の両側の環状部３９内の突起（図示せず）に当接し、環状部３９にコイルばね６の先端が弾性的に当接し、環状部３９がガイドピン７から後方に抜け出しなく、ガイドピン７に沿ってハーネス長手方向にスライド移動自在となっている。
【００４２】
ハーネスガイド部材８は中央のガイド部本体４０と両側の環状部３９とで構成され、ガイド部本体４０に断面半円状の湾曲面（ハーネスガイド面）が形成され、フラットワイヤハーネス２は湾曲面に沿って１８０゜方向に折り返され、プロテクタ前端のハーネス導出口３１から外部に導出されて、ドアやトランク（ラゲージドア）といった図示しない開閉体の電装品や補機にコネクタ接続される。
【００４３】
図１の如く、開閉体を開けるとフラットワイヤハーネス２がプロテクタ５から引き出され、それに伴ってハーネスガイド部材８がガイドピン７に沿ってハーネス引き出し方向に移動しつつコイルばね６を圧縮する。開閉体を閉じると、コイルばね６が伸長しつつばね力でハーネスガイド部材８が逆方向に移動してワイヤハーネス２をプロテクタ５内に引き込んで弛み（余長）を吸収させる。
【００４４】
図６，図７に示す如く、ハーネス固定部材１１は合成樹脂材で一体に形成されており、ワイヤハーネス外周の合成樹脂製の網状の柔軟な保護チューブ２１をスリット状の挿通孔５１（図１，図９）の周縁に一体的に固定させた略長方形の枠状部５２と、枠状部５２に続くハーネス案内用の略三角形状の板部５３（図４）と、板部５３に続き、基部側で略くの字状に斜め上向きに屈曲（傾斜）したハーネス案内用の矩形状の板部（案内板）５４と、案内板５４に続くコネクタ保持部１８とで構成されている。
【００４５】
案内板５４の傾斜部は図５のボックス本体３の傾斜部１７に沿って位置する。フラットワイヤハーネス２の保護チューブ２１の内側のフラットケーブル（通電部分）２０は枠状部５２（図１）の挿通孔５１を通り、三角状の板部５３（図５）の裏面で９０゜方向（直交方向）に折り曲げられて、板部５３の表裏で二層化され、コイルばね６に干渉しないように矩形状の案内板５４の裏面に沿ってコネクタ保持部１８の内側に配索されている。
【００４６】
フラットケーブル２０は帯状の絶縁シートに複数の回路導体を並列に配線したものであり、各回路導体の端部には端子（雌端子）が接続され、図７の如く各端子がコネクタハウジング（符号１０で代用する）の各端子収容室内に挿入されてコネクタ１０が構成される。コネクタハウジング１０への端子の挿入は、フラットケーブル２０をハーネス固定部材１１に装着する前、あるいは装着した後に行われる。コネクタハウジング１０はコネクタ保持部１８に固定される。図５，図８においてはコネクタ内の端子の図示を省略している。
【００４７】
図６の如くコネクタ保持部１８は、傾斜状の案内板５４に続く上側の垂直な板状の壁部５５と、垂直な壁部５５の両側に直交し、且つ下向きに延長された板状の側壁５６と、垂直な壁部５５の前端から突出され、先端内側に引っ掛け用の溝５７を有する可撓性の保持アーム（保持手段）５８と、両側の壁部５６の下部側において前端内側に突出した一対の突出板（受け部）５９と、各突出板５９の前面下部から略Ｌ字状に突出した引っ掛け用の一対のフック部（保持手段）６０とを備えている。
【００４８】
図７の如く上側の保持アーム５８の溝５７内にコネクタハウジング１０の後端上部の鍔部６１が係合し、図８の如く下側の一対のフック部６０にコネクタハウジング１０の後端下部の鍔部６２が係合して、コネクタが着脱自在に係止される。後端下部の鍔部６２は一対の突出板５９に当接し、コネクタ嵌合方向の押圧力が突出板５９とボックス本体３の受け壁１６（図５）とで受け止められて、相手側コネクタの確実な嵌合が可能となる。図７でコネクタハウジング１０の両側壁１０ａの後端部はコネクタ保持部１８の両側壁５６の間に進入して周方向のガタなく安定に位置決め支持される。図８の如く本例でコネクタハウジング１０の端子収容室６４は上下二段に設けられ、それに伴ってフラットケーブル２０も上下二層に配置されている。
【００４９】
図６，図７でコネクタ保持部１８の両側壁５６の外面には係止突起２５が設けられ、係止突起２５は図３のボックス本体３の係合凹部２６に係合する。両側壁５６の上部にはスリット部６３が設けられ、スリット部６３にプロテクタ５のカバー４（図１）の内面の突条（図示せず）が進入係合する。カバー４にもボックス本体３のコネクタ固定部９に対向して低背な覆い壁（図示せず）が一体に形成され、覆い壁の内面に前記突条が設けられる。
【００５０】
図９の如くフラットワイヤハーネス２の外周の網状の保護チューブ２１はハーネス固定部材１１の枠状部５２の挿通孔５１の内面側に一体樹脂成形で強固に固定されている。すなわち、ハーネス固定部材１１を成型金型内で樹脂成形する際に、保護チューブ２１の先端部２１ａを同じ成型金型内にセットして、枠状部５２の樹脂成形と同時に保護チューブ２１の先端部２１ａを枠状部（樹脂部）５２内に入り込ませている。保護チューブ２１は柔軟で屈曲性が良く且つ摺動性の良いものが好ましい。
【００５１】
これにより、開閉体（図示せず）の開き時に強い引張力がフラットワイヤハーネス２に作用しても、保護チューブ２１がハーネス固定部材１１から外れることがなく、且つ引張力を保護チューブ２１とフラットケーブル２０とが分担して受けるから、フラットケーブル２０の例えばコネクタ１０の端子接続部に無理な引張力が作用することがなく、電気的接続の信頼性が高まる。
【００５２】
図４，図５に示す如く、ハーネス固定部材１１の矩形状の案内板５４は一方のコイルばね６の下側に近接して位置し、案内板５４の下側にフラットケーブル２０が配置されているから、コイルばね６とフラットケーブル２０との干渉が起こらず、フラットケーブル２０の摩耗や傷付き等が確実に防止されている。
【００５３】
ハーネス固定部材１１にフラットワイヤハーネス２を配索固定させた状態で、ハーネス固定部材１１を上側の開口からボックス本体３内にセットして上側から底壁１９に向けて軽く押圧することで、ハーネス固定部材１１とボックス本体３との係止手段が相互に係合して、ワンタッチで簡単にワイヤハーネス２をボックス本体３に組み付けることができる。
【００５４】
次いで、コイルばね６とガイドピン７とハーネスガイド部材８とを一体化したサブ組立体をボックス本体３内に係止手段で係止させると共に、ハーネスガイド部材８に沿ってフラットワイヤハーネス２を折り返し、前壁側のハーネス導出口３１から外部に導出させ、カバー４を閉止することで、作業性良く簡単にハーネス収容装置１を組み立てることができる。
【００５５】
図５のハーネス固定部材１１の矩形状の案内板５４とフラットケーブル２０とは接着テープ等で相互に軽く固定しておくことが好ましい。
【００５６】
なお、上記実施形態においては、フラットケーブル２０を含むフラットワイヤハーネス２を用いたが、フラットケーブル２０に代えて細径の絶縁被覆電線（図示せず）を複数横一列に配列してワイヤハーネスを構成させたり、保護チューブ２１を廃止してフラットケーブル２０の外周に摺動性のよい絶縁被覆シート（図示せず）を被着させたりすることも可能である。
【００５７】
また、上記実施形態においては、フラットワイヤハーネス２を直角に折曲させ、ボックス本体３の一側壁１３においてフラットワイヤハーネス２のコネクタ１０を固定させたが、フラットワイヤハーネス２を折曲させずに真直なままでボックス本体３の前壁１４側においてハーネス導出口３１の邪魔にならないようにコネクタ１０を固定することも可能である。また、ハーネス固定部材１１のコネクタ保持部１８を廃止し、コネクタ１０に代えてフラットケーブル２０の回路導体を直接相手側の回路導体（図示せず）にレーザ溶接等で接続させることも可能である。また、プロテクタ５のカバー４をボックス本体３にヒンジ（図示せず）で開閉自在とすることも可能である。
【００５８】
また、上記実施形態においては、付勢手段として一対のコイルばね６を用いたが、一本のコイルばねを中央に配置してガイド部本体４０を直接押圧するようにしてもよい。また、コイルばね６に代えて波形の板ばね等を用いてもよい。
【００５９】
また、従来例のようにフラットワイヤハーネスを略Ｓ字状に屈曲させる構成としたもの等においても、本発明の構成を適用可能である。また、プロテクタ内にワイヤハーネスを引き込みや引き出しを行うことなく収容し、プロテクタ内のワイヤハーネス上に他の構成部品等を配設する構成のハーネス収容装置においても本発明の構成を適用可能である。
【図面の簡単な説明】
【００６０】
【図１】本発明に係るハーネス収容装置（ハーネス余長吸収装置）の一実施形態を示す縦断面図である。
【図２】同じくハーネス収容装置の内部構造を示す斜視図である。
【図３】ハーネス収容装置のボックス本体を示す斜視図である。
【図４】ハーネス収容装置のハーネス固定部を示す平面図である。
【図５】同じくハーネス固定部を示す図４のＡ−Ａ断面図である。
【図６】ハーネス固定部材を示す斜視図である。
【図７】ハーネス固定部材にコネクタを装着した状態を示す斜視図である。
【図８】コネクタの固定構造を示す図７のＢ−Ｂ断面図である。
【図９】ハーネス固定構造を示す図７のＣ−Ｃ断面図である。
【図１０】従来のハーネス収容装置の一形態を示す分解斜視図である。
【符号の説明】
【００６１】
１          ハーネス収容装置（ハーネス余長吸収装置）
２          フラットワイヤハーネス（ワイヤハーネス）
５          プロテクタ
６          コイルばね（付勢部材）
８          ハーネスガイド部材
１０        コネクタ
１１        ハーネス固定部材
１６        受け壁（受け部）
１８        コネクタ保持部
２１        保護チューブ
２９，３０，３２，３３  係止手段
３１        ハーネス導出口
５２        枠状部
５３        板部
５４        案内板
５７        突出板（受け部）
５８，６０  保持手段
【図１】
2005176503.tif 000003
【図２】
2005176503.tif 000004
【図３】
2005176503.tif 000005
【図４】
2005176503.tif 000006
【図５】
2005176503.tif 000007
【図６】
2005176503.tif 000008
【図７】
2005176503.tif 000009
【図８】
2005176503.tif 000010
【図９】
2005176503.tif 000011
【図１０】
2005176503.tif 000012